(57)【特許請求の範囲】
【請求項１】
ユーザーのスイッチオン操作に応じてスイッチピンを短絡させ、電力供給源から電流路に流通する電流に基づき動作するマザーボードと、
前記電流を検出する検出センサーと、
前記電力供給源に物理的に結合されることで前記電力供給源から供給される動作電力に基づき動作し、前記検出センサーで前記電流の供給の停止が検出されると、前記スイッチピンを短絡させるコントローラーと
を備えることを特徴とするコンピューター装置。
【請求項２】
請求項１に記載のコンピューター装置において、前記コントローラーは、電源オン時であって予め決められた時刻に前記スイッチピンを短絡させ前記マザーボードをシャットダウンすることを特徴とするコンピューター装置。
【請求項３】
請求項１または２に記載のコンピューター装置において、前記コントローラーは、電源オフ時であって予め決められた時刻に前記スイッチピンを短絡させブーストすることを特徴とするコンピューター装置。
【請求項４】
一端で電力供給源に接続され、他端でコンピューター装置の電源プラグに接続される電流路を形成する配線と、
分岐点で前記電流路から分岐する分岐路に接続されて、前記電力供給源に物理的に結合されることで前記電力供給源から供給される動作電力に基づき動作するコントローラーと、
前記分岐点よりも下流で、前記電力供給源から前記電流路に流通する電流を検出する検出センサーと、
前記コンピューター装置のマザーボードに接続されて、前記検出センサーで前記電流の供給の停止が検出されると前記コントローラーから出力されて前記マザーボードのスイッチピンを短絡する電気信号を伝達するリレー線と
を備えることを特徴とする電源制御装置。
【発明の詳細な説明】
【技術分野】
【０００１】
本発明は、ユーザーのスイッチオン操作に応じてスイッチピンを短絡させ、電力供給源から電流路に流通する電流に基づき動作するマザーボードを備えるコンピューター装置に関する。
【背景技術】
【０００２】
リモートワークでは、自宅のパソコンから職場のパソコンにアクセすることが要求される。アクセスにあたって職場のパソコンは稼働状態に維持されなければならない。特許文献１に開示されるように、無停電電源装置は停電時であってもコンピューター装置に電力を供給することができる。したがって、停電中であっても停電後であってもコンピューター装置の稼働は維持されることができる。
【先行技術文献】
【特許文献】
【０００３】
【特許文献１】特開２００３−２１６４０７号公報
【発明の概要】
【発明が解決しようとする課題】
【０００４】
リモートワークとはいえ、ユーザーは常に職場のパソコンで作業するわけではない。自宅のパソコンで作業すれば済むことも多い。したがって、無制限に職場のパソコンが稼働状態に維持されれば、職場のパソコンでは電力が浪費される。しかも、長期間の停電では、無停電電源装置に蓄えられる電力だけではパソコンの稼働を賄いきれないかもしれない。例えば、何らかの拍子にパソコンの電源が落とされると、ユーザーのスイッチオン操作なしにパソコンは動作を再開することはできない。
【０００５】
本発明は、何らかの原因で電源が落ちても自動で復旧することができるコンピューター装置を提供することを目的とする。
【課題を解決するための手段】
【０００６】
本発明の第１側面によれば、ユーザーのスイッチオン操作に応じてスイッチピンを短絡させ、電力供給源から電流路に流通する電流に基づき動作するマザーボードと、前記電流を検出する検出センサーと、前記電力供給源に物理的に結合されることで前記電力供給源から供給される動作電力に基づき動作し、前記検出センサーで前記電流の供給の停止が検出されると、前記スイッチピンを短絡させるコントローラーとを備えるコンピューター装置は提供される。
【０００７】
マザーボードはユーザーのスイッチオン操作に応じて電源をオンする。電源がオンされると、マザーボードは供給される電流に基づき動作する。オペレーションシステム（ＯＳ）上でシャットダウンが指示されると、マザーボードは電源をオフする。
【０００８】
停電では電力供給源から電流の供給は停止する。マザーボードはシャットダウンする。動作電力も途絶えることからコントローラーはオフされる。停電が復旧すると、コントローラーは動作を開始する一方で、ユーザーのスイッチオン操作がなければマザーボードは動作しない。このとき、検出センサーは電流の供給の停止を検出することから、コントローラーはマザーボードのスイッチピンを短絡させる。マザーボードは電源をオンする。こうして停電からの復旧時にはマザーボードはユーザーのスイッチオン操作を待たずに自動で動作を開始することができる。仮に、意に反してコンピューター装置がシャットダウンされても、検出センサーは電流の供給の停止を検出することから、コントローラーはマザーボードのスイッチピンを短絡させる。マザーボードは電源をオンする。こうしてコンピューター装置の動作は維持されることができる。
【０００９】
前記コントローラーは、予め決められた時刻に前記スイッチピンを短絡させ前記マザーボードをシャットダウンしてもよい。コンピューター装置は予め決められた時刻に自動でシャットダウンすることができる。コンピューター装置の消し忘れは回避されることができる。
【００１０】
前記コントローラーは、予め決められた時刻に前記スイッチピンを短絡させてもよい。コンピューター装置は予め決められた時刻に自動で起動することができる。
【００１１】
本発明の第２側面によれば、一端で電力供給源に接続され、他端でコンピューター装置の電源プラグに接続される電流路を形成する配線と、分岐点で前記電流路から分岐する分岐路に接続されて、前記電力供給源に物理的に結合されることで前記電力供給源から供給される動作電力に基づき動作するコントローラーと、前記分岐点よりも下流で、前記電力供給源から前記電流路に流通する電流を検出する検出センサーと、前記コンピューター装置のマザーボードに接続されて、前記検出センサーで前記電流の供給の停止が検出されると前記コントローラーから出力されて前記マザーボードのスイッチピンを短絡する電気信号を伝達するリレー線とを備える電源制御装置は提供される。
【００１２】
配線は電力供給源（例えば家庭用コンセント）にコンピューター装置の電源プラグを接続する。コンピューター装置には電力供給源から電力は供給される。マザーボードはユーザーのスイッチオン操作に応じて電源をオンする。電源がオンされると、マザーボードは供給される電流に基づき動作する。オペレーションシステム（ＯＳ）上でシャットダウンが指示されると、マザーボードは電源をオフする。
【００１３】
停電では電力供給源から電流の供給は停止する。マザーボードはシャットダウンする。動作電力も途絶えることからコントローラーはオフされる。停電が復旧すると、コントローラーは動作を開始する一方で、ユーザーのスイッチオン操作がなければマザーボードは動作しない。このとき、検出センサーは電流の供給の停止を検出することから、コントローラーはリレー線に電気信号を出力する。マザーボードのスイッチピンは短絡する。マザーボードは電源をオンする。こうして停電からの復旧時にはマザーボードはユーザーのスイッチオン操作を待たずに自動で動作を開始することができる。仮に、意に反してコンピューター装置がシャットダウンされても、検出センサーは電流の供給の停止を検出することから、コントローラーはマザーボードのスイッチピンを短絡させる。マザーボードは電源をオンする。こうしてコンピューター装置の動作は維持されることができる。
【発明の効果】
【００１４】
本発明によれば、何らかの原因で電源が落ちても自動で復旧することができるコンピューター装置は提供されることができる。
【図面の簡単な説明】
【００１５】
【図１】本発明の一実施形態に係るデマンド制御システムの構成を示すブロック図である。
【図２】子機モジュールの構成を示すブロック図である。
【図３】メイン制御モジュールのＰＬＣの構成を示すブロック図である。
【図４】メイン制御モジュールのＰＬＣの動作を概略的に示す図表である。
【図５】コンピューター装置の構成を概略的に示すブロック図である。
【図６】本発明の一実施形態に係る電源制御装置の構成を示すブロック図である。
【発明を実施するための形態】
【００１６】
以下、添付図面を参照しつつ本発明の一実施形態を説明する。
【００１７】
図１は本発明の一実施形態に係るデマンド制御システム１１の全体構成を概略的に示す。施設には、供給される電力に応じて動作する負荷１２ａ、１２ｂが設置される。負荷は、１台以上の空気調和機１２ａとその他の電気機器１２ｂとを含む。個々の空気調和機１２ａおよび電気機器１２ｂは電力線１３で電力供給源１４に接続される。電力線１３から伝送される高圧の電力はキュービクル１５で２００Ｖや１００Ｖの電力に変圧される。
【００１８】
個々の空気調和機１２ａは、屋外に設置されて、屋外の空気に接触する室外熱交換器を含む室外機１６と、屋内に設置されて、屋内の空気に接触する室内熱交換器を含む室内機１７とを備える。室外熱交換器と室内熱交換器との間で冷媒は循環する。冷房運転時には屋内の空気から冷媒に伝達される熱エネルギーは屋外に放出される。こうして屋内空間は冷却される。暖房運転時には屋外の空気から伝達される熱エネルギーは屋内空間に放出される。屋内空間は暖められる。冷媒の循環にあたって室外機１６に収容される圧縮機は動作する。
【００１９】
電力線１３には、デマンド電力の契約ごとに施設に設置される電力メーター１８が接続される。電力メーター１８は例えばキュービクル１５内に配置される。電力メーター１８は、供給される電力値を示すパルス信号を出力する。例えば電力メーター１８は１２ワットごとに１パルスの電気信号を生成する。したがって、１パルスが検出されると、１２ワットの消費電力は記録されることができる。パルス信号は例えば決められた時刻ごとに（例えば各時の「００分」および「３０分」に）電力会社に通知される。電力会社はパルス信号に基づき消費電力量を監視することができる。
【００２０】
デマンド制御システム１１は、キュービクル１５内で電力メーター１８に接続されて、予め決められた単位時間（時間枠）ごとにパルス信号のパルス数をカウントするパルス測定記録モジュール２１と、パルス測定記録モジュール２１に無線で接続されて、単位時間あたりのパルス数から定刻のデマンド電力の予測値を算出し、予測値に基づき空気調和機１２ａの制御信号を生成するメイン制御モジュール２２と、メイン制御モジュール２２に無線で接続されて、個々の空気調和機１２ａに向けて制御信号を配信する親機モジュール２３と、個々の空気調和機１２ａに設置されて、親機モジュール２３から制御信号を受信する子機モジュール２４と、屋内空間に設置されて、それぞれ温度および湿度を計測する温度計２５ａおよび湿度計２５ｂとを備える。個々の子機モジュール２４は無線または有線で親機モジュール２３に接続される。ここでは、消費電力の低減にあたって負荷のうち空気調和機の１２ａ動作のみが制御される。
【００２１】
パルス測定記録モジュール２１は、決められた時間長さごとに、電力メーター１８から出力されるパルス信号のパルス数をカウントするパルス計測センサー２６と、決められた時間長さ内のパルス数に基づき、その時刻から遡って１５秒枠、１分枠、１０分枠および３０分枠でパルス数を算出するＰＬＣ（プログラマブルロジックコントローラー）２７とを備える。ここでは、決められた時間長さには１５秒が設定される。パルス計測センサー２６は、各分の「００秒」「１５秒」「３０秒」「４５秒」に、それぞれ１５秒間のパルス数を特定する計測信号を出力する。時刻は、ＰＬＣ２７に内蔵の時計から取得されることができる。ＰＬＣ２７は時間枠ごとに計測信号のパルス数を累積する。１５秒枠であれば、受信した計測信号からパルス数は特定される。１分枠であれば、過去４回の計測信号からパルス数は特定される。１０分枠であれば、受信した計測信号から遡って４０回の計測信号からパルス数は特定される。３０分枠であれば、受信した計測信号から遡って１２０回の計測信号からパルス数は特定される。ＰＬＣ２７は、１５秒枠のパルス数を特定する第１カウント信号、１分枠のパルス数を特定する第２カウント信号、１０分枠のパルス数を特定する第３カウント信号、および、３０分枠のパルス数を特定する第４カウント信号を出力する。ＰＬＣ２７は、デマンド電力の課金にあたって決められた時刻ごとに（例えば各時の「００分」および「３０分」に）３０分間のパルス数すなわち消費電力値を記録することができる。
【００２２】
メイン制御モジュール２２は、内蔵の記憶装置に保存される動作プログラムに基づき制御信号の生成を管理するＰＬＣ２９と、ＰＬＣ２９に接続されて、決められたフォーマットに従って画面にＰＬＣ２９の処理結果を表示し、画面内の画像に連動するタッチ操作に基づきＰＬＣ２９に数値や指示を入力するタッチスクリーンパネル３１と、ＰＬＣ２９およびタッチスクリーンパネル３１に接続されて、ＰＬＣ２９の動作プログラムやタッチスクリーンパネル３１の動作プログラムの編集に用いられるアプリケーションを実行するコンピューター装置３２とを備える。ＰＬＣ２９は、ＰＬＣ２７に接続されて、ＰＬＣ２７から第１カウント信号、第２カウント信号および第３カウント信号を受信し、１５秒枠、１分枠および１０分枠のパルス数それぞれに基づき個々に定刻のデマンド電力の予測値を算出する。ＰＬＣ２９は、算出した予測値に基づき、空気調和機１２ａの消費電力を低減する制御を実施するか否かを判定する。後述されるように、判定の結果に応じて制御信号は生成される。制御信号は個々の空気調和機１２ａに向けてＰＬＣ２９から出力される。
【００２３】
タッチスクリーンパネル３１は、内蔵の記憶装置に保存される動作プログラムに基づき表示動作や入力動作を管理する。タッチスクリーンパネル３１の画面には、例えば、デマンド電力の目標値や２４時間の消費電力の変化、２４時間の温度変化、２４時間の湿度変化その他が表示されることができる。温度変化や湿度変化の表示にあたってタッチスクリーンパネル３１には温度計２５ａおよび湿度計２５ｂから温度を示す温度信号や湿度を示す湿度信号が供給される。温度信号および湿度信号の供給にあたって温度計２５ａおよび湿度計２５ｂとタッチスクリーンパネル３１との間には通信経路が確立される。消費電力の変化、温度変化および湿度変化は例えば共通の時間軸に従ってグラフ形式で描かれることができる。例えば目標値がタッチされると、目標値の数値は書き換えられることができる。この書き換えによって、ＰＬＣ２９の動作プログラムには変数として新たに目標値が取り込まれることができる。
【００２４】
コンピューター装置３２では、ＰＬＣ２９の動作プログラムやタッチスクリーンパネル３１の動作プログラムの編集に用いられるアプリケーションが立ち上げられることができる。アプリケーションはＰＬＣ２９やタッチスクリーンパネル３１の記憶装置から一時的に動作プログラムを取り込むことができる。コンピューター装置３２の操作者はアプリケーション上でＰＬＣ２９の動作プログラムやタッチスクリーンパネル３１の動作プログラムを編集することができる。操作者の操作に応じてアプリケーションは編集後の動作プログラムで記憶装置内の動作プログラムを上書きすることができる。コンピューター装置３２の画面にはタッチスクリーンパネル３１の画面が再現されることができる。
【００２５】
コンピューター装置３２にはリモートコンピューター装置３３が接続される。リモートコンピューター装置３３は例えばインターネット３４経由でコンピューター装置３２に接続されればよい。コンピューター装置３２はリモートコンピューター装置３３から遠隔で操作されることができる。遠隔操作にあたってコンピューター装置３２およびリモートコンピューター装置３３でリモートデスクトップアプリケーションが実行される。リモートデスクトップアプリケーションによれば、リモートコンピューター装置３３の操作に応じてコンピューター装置３２上のアプリケーションは操作されることができる。コンピューター装置３２の遠隔操作に応じてリモートコンピューター装置３３の画面にはタッチスクリーンパネル３１の画面が再現されることができる。
【００２６】
子機モジュール２４は、図２に示されるように、室外機１６に取り付けられるデマンド基板３５と、デマンド基板３５に接続されて、選択的にデマンド基板３５の端子３５ａ、３５ｂ、３５ｃ、３５ｄを短絡するターミナルリレー３６と、ターミナルリレー３６に接続されて、端子３５ａ、３５ｂ、３５ｃ、３５ｄの選択を指示するＰＬＣ３７とを備える。デマンド基板３５は、「１００％運転」の制御を特定する第１端子３５ａと、「７５％運転」の制御を特定する第２端子３５ｂと、「４０％運転」の制御を特定する第３端子３５ｃと、「サーモオフ運転」の制御を特定する第４端子３５ｄとを備える。基準端子と第１端子３５ａとが短絡すると、空気調和機１２ａでは「１００％運転」の制御が実行される。「１００％運転」の制御では空気調和機１２ａは通常とおりに電力を消費する。消費電力を低減する制御は実施されない。基準端子と第２端子３５ｂとが短絡すると、空気調和機１２ａでは「７５％運転」の制御が実行される。「７５％運転」の制御では空気調和機１２ａの動作率は通常の７５％に低減される。基準端子と第３端子３５ｃとが短絡すると、空気調和機１２ａでは「４０％運転」の制御が実行される。「４０％運転」の制御では空気調和機１２ａの動作率は通常の４０％に低減される。基準端子と第４端子３５ｄとが短絡すると、空気調和機１２ａでは「サーモオフ運転」の制御が実行される。「サーモオフ運転」の制御では圧縮機の動作は停止する。送風は継続される。空気調和機１２ａの動作率は通常の１０％に低減される。ここでは、動作率は電力の消費率に相当する。デマンド基板３５は室外機１６に固有に空気調和機メーカーから提供される。デマンド基板３５では仕様として制御の切り替えを保留する時間枠が設定される。ここでは、保留の時間枠は例えば４分に設定される。
【００２７】
デマンド基板３５の第１端子３５ａ、第２端子３５ｂ、第３端子３５ｃ、第４端子３５ｄおよび基準端子にはターミナルリレー３６が接続される。ターミナルリレー３６は、供給される信号に応じて、基準端子と第１端子３５ａとの間で短絡を確立することができ、基準端子と第２端子３５ｂとの間で短絡を確立することができ、基準端子と第３端子３５ｃとの間で短絡を確立することができ、基準端子と第４端子３５ｄとの間で短絡を確立することができる。ＰＬＣ３７は、親機モジュール２３から供給される制御信号に基づきターミナルリレー３６への信号を生成する。制御信号は、「１００％運転」を特定する「ランク１（制御ナシ）」と、「７５％運転」を特定する「ランク２（制御弱）」と、「４０％運転」を特定する「ランク３（制御中）」と、「サーモオフ運転」を特定する「ランク４（制御強）」とにランク分けされる。制御信号で「ランク１」が特定されると、ＰＬＣ３７は基準端子に第１端子３５ａを短絡する信号を生成する。制御信号で「ランク２」が特定されると、ＰＬＣ３７は基準端子に第２端子３５ｂを短絡する信号を生成する。制御信号で「ランク３」が特定されると、ＰＬＣ３７は基準端子に第３端子３５ｃを短絡する信号を生成する。制御信号で「ランク４」が特定されると、ＰＬＣ３７は基準端子に第４端子３５ｄを短絡する信号を生成する。
【００２８】
図３に示されるように、メイン制御モジュール２２のＰＬＣ２９は、過去の消費電力からデマンド電力の定刻の予測値を算出する予測手段４１を備える。予測手段４１は動作プログラムの実行に基づきＰＬＣ２９で確立される。予測手段４１は、第１時間の時間枠で算出される消費電力の移動平均に基づきデマンド電力の定刻の第１予測値を算出する第１予測値算出手段４１ａと、第１時間より長い補助時間の時間枠で算出される消費電力の移動平均に基づきデマンド電力の定刻の補助予測値を算出する補助予測値算出手段４１ｂと、補助時間よりも長い第２時間の時間枠で算出される消費電力の移動平均に基づきデマンド電力の定刻の第２予測値を算出する第２予測値算出手段４１ｃとを含む。ここでは、第１時間は１５秒に設定される。補助時間は１分に設定される。第２時間は１０分に設定される。
【００２９】
第１予測値算出手段４１ａは、第１予測値の算出にあたって、過去１５秒間の消費電力に基づき残り時間内の消費電力を推測し、前回の定刻から経過した時間内の消費電力の実績値に推測した消費電力を加算する。第１予測値算出手段４１ａは、残り時間内の消費電力の推測にあたって、過去１５秒間の平均値がそのまま残り時間内にわたって持続すると仮定する。
【００３０】
補助予測値算出手段４１ｂは、補助予測値の算出にあたって、過去１分間の消費電力に基づき残り時間内の消費電力を推測し、前回の定刻から経過した時間内の消費電力の実績値に推測した消費電力を加算する。補助予測値算出手段４１ｂは、残り時間内の消費電力の推測にあたって、過去１分間の平均値がそのまま残り時間内にわたって持続すると仮定する。
【００３１】
第２予測値算出手段４１ｃは、第２予測値の算出にあたって、過去１０分間の消費電力に基づき残り時間内の消費電力を推測し、前回の定刻から経過した時間内の消費電力の実績値に推測した消費電力を加算する。第２予測値算出手段４１ｃは、残り時間内の消費電力の推測にあたって、過去１０分間の平均値がそのまま残り時間内にわたって持続すると仮定する。
【００３２】
ＰＬＣ２９は、予測手段４１に接続されるランク分け手段４２を備える。ランク分け手段４２は動作プログラムの実行に基づきＰＬＣ２９で確立される。ランク分け手段４２は、デマンド電力の目標値に予測値を照らし合わせ、定刻の電力値が目標値を上回る確率をランク分けする。ランク分け手段４２は、第１予測値算出手段４１ａに接続されて、デマンド電力の目標値に第１予測値を照らし合わせ、決められた判定基準に従った指標に変換する第１判定手段４２ａと、補助予測値算出手段４１ｂに接続されて、デマンド電力の目標値に補助予測値を照らし合わせ、決められた判定基準に従った指標に変換する補助判定手段４２ｂと、第２予測値算出手段４１ｃに接続されて、デマンド電力の目標値に第２予測値を照らし合わせ、決められた判定基準に従った指標に変換する第２判定手段４２ｃとを含む。
【００３３】
第１判定手段４２ａは、第１予測値が目標値の１１５％を上回ると「確率大」ランクを指定する。「確率大」ランクには指標「３」が紐付けられる。このとき、第１判定手段４２ａは、第１予測値の照らし合わせに応じて数値「３」を特定する第１指標信号を出力する。
【００３４】
第１予測値が目標値の１１５％以下で１０５％を上回ると、第１判定手段４２ａは「確率中」ランクを指定する。「確率中」ランクには指標「２」が紐付けられる。このとき、第１判定手段４２ａは、第１予測値の照らし合わせに応じて数値「２」を特定する第１指標信号を出力する。
【００３５】
第１予測値が目標値の１０５％以下で９５％を上回ると、第１判定手段４２ａは「確率小」ランクを指定する。「確率小」ランクには指標「１」が紐付けられる。このとき、第１判定手段４２ａは、第１予測値の照らし合わせに応じて数値「１」を特定する第１指標信号を出力する。
【００３６】
第１予測値が目標値の９５％以下であると、第１判定手段４２ａは「確率ゼロ」ランクを指定する。「確率ゼロ」ランクには指標「０（ゼロ）」が紐付けられる。このとき、第１判定手段４２ａは、第１予測値の照らし合わせに応じて数値「０」を特定する第１指標信号を出力する。すなわち、第１判定手段４２ａは、制御の解除にあたって目標値の１００％未満に設定される閾値を用いる。
【００３７】
補助判定手段４２ｂは、補助予測値が目標値の１１５％を上回ると「確率大」ランクを指定する。「確率大」ランクには指標「３」が紐付けられる。このとき、補助判定手段４２ｂは、補助予測値の照らし合わせに応じて数値「３」を特定する補助指標信号を出力する。
【００３８】
補助予測値が目標値の１１５％以下で１０５％を上回ると、補助判定手段４２ｂは「確率中」ランクを指定する。「確率中」ランクには指標「２」が紐付けられる。このとき、補助判定手段４２ｂは、補助予測値の照らし合わせに応じて数値「２」を特定する補助指標信号を出力する。
【００３９】
補助予測値が目標値の１０５％以下で９５％を上回ると、補助判定手段４２ｂは「確率小」ランクを指定する。「確率小」ランクには指標「１」が紐付けられる。このとき、補助判定手段４２ｂは、補助予測値の照らし合わせに応じて数値「１」を特定する補助指標信号を出力する。
【００４０】
補助予測値が目標値の９５％以下であると、補助判定手段４２ｂは「確率ゼロ」ランクを指定する。「確率ゼロ」ランクには指標「０（ゼロ）」が紐付けられる。このとき、補助判定手段４２ｂは、補助予測値の照らし合わせに応じて数値「０」を特定する補助指標信号を出力する。すなわち、補助判定手段４２ｂは、制御の解除にあたって目標値の１００％未満に設定される閾値を用いる。
【００４１】
第２判定手段４２ｃは、第２予測値が目標値の１１５％を上回ると「確率大」ランクを指定する。「確率大」ランクには指標「３」が紐付けられる。このとき、第２判定手段４２ｃは、第２予測値の照らし合わせに応じて数値「３」を特定する第２指標信号を出力する。
【００４２】
第２予測値が目標値の１０５％を上回ると、第２判定手段４２ｃは「確率中」ランクを指定する。「確率中」ランクには指標「２」が紐付けられる。このとき、第２判定手段４２ｃは、第２予測値の照らし合わせに応じて数値「２」を特定する第２指標信号を出力する。
【００４３】
第２予測値が目標値の９５％を上回ると、第２判定手段４２ｃは「確率小」ランクを指定する。「確率小」ランクには指標「１」が紐付けられる。このとき、第２判定手段４２ｃは、第２予測値の照らし合わせに応じて数値「１」を特定する第２指標信号を出力する。
【００４４】
第２予測値が目標値の９５％以下であると、第２判定手段４２ｃは「確率ゼロ」ランクを指定する。「確率ゼロ」ランクには指標「０（ゼロ）」が紐付けられる。このとき、第２判定手段４２ｃは、第２予測値の照らし合わせに応じて数値「０」を特定する第２指標信号を出力する。すなわち、第２判定手段４２ｃは、制御の解除にあたって目標値の１００％未満に設定される閾値を用いる。第１予測値および補助予測値に比べて第２予測値では判定基準の閾値は「確率大」ランク、「確率中」ランク、「確率小」ランクおよび「確率ゼロ」ランクでそれぞれ低く設定される。
【００４５】
ＰＬＣ２９は、ランク分け手段４２に接続される総合判定手段（判定手段）４５を備える。総合判定手段４５は動作プログラムの実行に基づきＰＬＣ２９で確立される。総合判定手段４５には、第１判定手段４２ａから第１指標信号が供給され、補助判定手段４２ｂから補助指標信号が供給され、第２判定手段４２ｃから第２指標信号が供給される。総合判定手段４５は、第１指標信号で特定される指標の数値と、補助指標信号で特定される指標の数値と、第２指標信号で特定される指標の数値とを足し合わせる。足し合わせにあたって数値は重み付けされる。ここでは、重み付けにあたって、第２指標信号で特定される指標には、第１指標信号で特定される指標および補助指標信号で特定される指標よりも大きい重みが設定される。第２指標信号の数値は１．５倍に増やされる。重み付け後に足し合わせされた数値の合計は判定基準に照らし合わせられる。
【００４６】
判定基準は、消費電力の低減の強度に応じてランク分けされる制御を特定する。すなわち、数値の合計が「５」を上回ると、「ランク４（制御強）」が指定される。数値の合計が「５」以下であって「３」を上回ると、ランク３（制御中）」が指定される。数値の合計が「３」以下であって「０」を上回ると、「ランク２（制御弱）」が指定される。数値の合計が「０」に一致すると、「ランク１（制御ナシ）」が指定される。指定された「ランク４（制御強）」、「ランク３（制御中）」、「ランク２（制御弱）」または「ランク１（制御ナシ）」は制御信号に書き込まれる。こうして総合判定手段４５は、確率のランクに紐付けられて消費電力の低減の強度に応じてランク分けされる制御を特定する制御信号を生成する。制御信号は総合判定手段４５から出力される。
【００４７】
ここでは、総合判定手段４５は、制御信号の出力後、その出力から予め決められた時間内には新たな制御信号の出力を保留する。デマンド基板３５では予め決められた時間にわたって制御の切り替えは保留される。予め決められた時間はデマンド基板３５の仕様に合わせて４分に設定される。こうしてデマンド基板３５の仕様は遵守されることができる。
【００４８】
次にデマンド制御システム１１の動作を説明する。デマンド制御システム１１ではデマンド電力の目標値が設定される。目標値は通常のピーク消費電力よりも小さく設定される。ピーク消費電力は負荷１２ａ、１２ｂのフル稼働時に３０分間で消費される電力量に相当する。例えば、７２０ｋＷのピーク消費電力に対して目標値「５３５ｋＷ」は設定されることができる。７２０ｋＷのピーク消費電力では負荷１２ａ、１２ｂは１５秒間で６ｋＷの電力を消費する。
【００４９】
目標値の設定にあたってタッチスクリーンパネル３１の画面には目標値の数値［ｋＷ］が表示される。数値にタッチすると、画面には例えばテンキーが表示される。テンキーの操作に応じて目標値の数値は入力されることができる。こうして目標値の数値は書き換えられることができる。こうして記録された目標値に基づき第１判定手段４２ａ、補助判定手段４２ｂおよび第２判定手段４２ｃで閾値は設定される。
【００５０】
負荷１２ａ、１２ｂが作動すると、電力線１３から負荷１２ａ、１２ｂに電力は供給される。電力メーター１８は、供給される電力値を示すパルス信号を出力する。パルス計測センサー２６は、１５秒ごとに、１５秒間のパルス数を特定する計測信号を出力する。計測信号に基づき消費電力の実測値は特定される。ＰＬＣ２７は、計測信号に基づき、定刻からの消費電力の累積値５２を記録する。
【００５１】
ＰＬＣ２７は、計測信号に基づき第１カウント信号、第２カウント信号、第３カウント信号および第４カウント信号を生成する。第１〜第３カウント信号はメイン制御モジュール２２のＰＬＣ２９に供給される。
【００５２】
第１予測値算出手段４１ａは第１予測値５３を算出する。例えば次の定刻まで残り３分であれば、第１予測値算出手段４１ａは過去１５秒間の消費電力「３．８４ｋＷ」に（６０（秒）／１５（秒）×３（分））を掛け合わせ残り時間３分の消費電力を推定する。推定された消費電力は前の定刻から累積される実績値「４８６ｋＷ」に加算される。こうして次の定刻の第１予測値「５３２ｋＷ」は得られる。
【００５３】
補助予測値算出手段４１ｂは補助予測値５４を算出する。例えば次の定刻まで残り３分であれば、補助予測値算出手段４１ｂは過去１分間の消費電力（３．８４ｋＷ＋３．８４ｋＷ＋３．８４ｋＷ＋３．８４ｋＷ）に３（分）を掛け合わせ残り時間３分の消費電力を推定する。推定された消費電力は前の定刻から累積される実績値「４８６ｋＷ」に加算される。こうして次の定刻の補助予測値「５３２ｋＷ」は得られる。
【００５４】
第２予測値算出手段４１ｃは第２予測値５５を算出する。例えば次の定刻まで残り３分であれば、第２予測値算出手段４１ｃは過去１０分間の消費電力（…＋３．８４ｋＷ＋３．８４ｋＷ＋３．８４ｋＷ＋３．８４ｋＷ＋３．８４ｋＷ）に（／１０（分）×３（分））を掛け合わせ残り時間３分の消費電力を推定する。推定された消費電力は前の定刻から累積される実績値「４８６ｋＷ」に加算される。こうして次の定刻の第２予測値「５３２ｋＷ」は得られる。
【００５５】
第１判定手段４２ａは、目標値に算出された第１予測値５３を照らし合わせる。第１判定手段４２ａは、予め設定された閾値に基づき第１予測値５３をランク分けする。例えば第１予測値「５３２ｋＷ」は目標値の１０５％以下であって９５％を上回ることから、第１判定手段４２ａは「確率小」ランクを特定する。第１判定手段４２ａは、指標「１」５６を特定する第１指標信号を出力する。
【００５６】
補助判定手段４２ｂは、目標値に算出された補助予測値を照らし合わせる。補助判定手段４２ｂは、予め設定された閾値に基づき補助予測値をランク分けする。例えば補助予測値「５３２ｋＷ」は目標値の１０５％以下であって９５％を上回ることから、補助判定手段４２ｂは「確率小」ランクを指定する。補助判定手段４２ｂは、指標「１」５７を特定する補助指標信号を出力する。
【００５７】
第２判定手段４２ｃは、目標値に算出された第２予測値を照らし合わせる。第２判定手段４２ｃは、予め設定された閾値に基づき第２予測値をランク分けする。例えば第２予測値「５３２ｋＷ」は目標値の１０１％以下であって９４％を上回ることから、第２判定手段４２ｃは「確率小」ランクを指定する。第２判定手段４２ｃは、指標「１」５８を特定する第２指標信号を出力する。
【００５８】
総合判定手段４５は、第１指標信号で特定される指標５６と、補助指標信号で特定される指標５７と、第２指標信号で特定される指標５８とに基づき、判定基準に照らし合わせ、空気調和機１２ａの消費電力を低減する制御を実施するか否かを判定する。例えば、第１指標信号で指標「１」が特定され、補助指標信号で指標「１」が特定され、第２指標信号で指標「１」が特定されると、（１＋１＋１×１．５＝３．５）は「５」以下であって「３」を上回ることから、総合判定手段４５は「ランク３（制御中）」を指定する。総合判定手段４５は「ランク３」を特定する制御信号を出力する。
【００５９】
制御信号は個々の子機モジュール２４に供給される。ＰＬＣ３７は制御信号に基づきターミナルリレー３６を制御する。例えば制御信号で「ランク３」が特定されると、ターミナルリレー３６はデマンド基板３５の基準端子と第３端子３５ｃとを短絡する。空気調和機１２ａでは「４０％運転」の制御が実施される。消費電力は６ｋＷから３．８４ｋＷまで低減される。
【００６０】
空気調和機１２ａは、制御信号で特定される制御に従って動作する。空気調和機１２ａでは消費電力は低減される。確率のランクに応じて低減の強弱は設定されることができる。目標値を上回る確率が大きければ、消費電力の低減の強度は強められることができる。単純に空気調和機１２ａの動作および不動作の切り替えで消費電力の低減が制御される場合に比べて、空気調和機１２ａの動作はきめ細かく制御されることができる。デマンド制御システム１１は緩やかに空気調和機１２ａの動作を変化させることができる。室内環境の変化は緩やかに調整されることができる。
【００６１】
本実施形態では第１予測値、補助予測値および第２予測値のランクに応じて低減の強弱は設定されることから、単純に空気調和機１２ａの動作および不動作の切り替えで消費電力の低減が制御される場合に比べて、空気調和機１２ａの動作はきめ細かく制御されることができる。弱い低減の制御が継続されることで良好に目標値以下に消費電力を抑えることができる。空気調和機１２ａの仕様として制御の切り替えを保留する時間枠が設定されていても、空気調和機１２ａでは急激な動作の変更は回避されることができる。室内環境の変化は緩やかに調整されることができる。
【００６２】
総合判定手段４５では制御の解除にあたって数値の合計は「０」に一致する。すなわち、第１指標信号で特定される指標の数値と、補助指標信号で特定される指標の数値と、第２指標信号で特定される指標の数値とはいずれも「０」に一致する。第１判定手段４２ａでは指標「０」の指定にあたって照らし合わせに用いられる閾値は目標値の９５％に設定される。補助判定手段４２ｂでは指標「０」の指定にあたって照らし合わせに用いられる閾値は目標値の９５％に設定される。第２判定手段４２ｃでは指標「０」の指定にあたって照らし合わせに用いられる閾値は目標値の９４％に設定される。こうして制御と無制御との切り換えにあたって、予測値の照らし合わせに用いられる閾値は目標値の１００％未満に設定されることから、制御から無制御に復帰してもすぐに制御への逆戻りは回避されることができる。したがって、頻繁な制御の変更は抑止されることができる。
【００６３】
本実施形態に係るデマンド制御システム１１では、消費電力を低減する制御の実施は、１５秒枠や１分枠といった短い時間枠の消費電力に基づき導き出される指標と、１０分枠といった長い時間枠の消費電力に基づき導き出される指標との足し合わせに基づき判定される。一時的に急激な消費電力の増加が生じても、長い時間枠の予測値は大きく変化しないことから、消費電力を低減する制御は抑制されることができる。したがって、頻繁に制御の変更が繰り返されることは回避されることができる。デマンド電力は良好に目標値以下に調整されることができる。その一方で、急激な消費電力の増加が継続すると、短い時間枠の予測値は大きく変化することから、消費電力を低減する制御は早い段階から実行されることができる。デマンド制御システムは的確に消費電力の増加の端緒に対応することができる。緩やかに空気調和機１２ａの動作を変化させることができる。デマンド電力は良好に目標値以下に調整されることができる。室内環境の変化は緩やかに調整されることができる。
【００６４】
デマンド制御システム１１では例えば補助予測値算出手段４１ｂおよび補助判定手段４２ｂは割愛されることができる。こうしてデマンド制御システム１１では、消費電力を低減する制御の実施は、短い時間枠の消費電力に基づき導き出される指標と、それよりも長い時間枠の消費電力に基づき導き出される指標との足し合わせに基づき判定されることができる。このとき、総合判定手段４５では判定基準の閾値は適宜に調整されればよい。
【００６５】
本実施形態では、第１予測値から変換された指標、および、第２予測値から変換された指標は足し合わせにあたって重み付けされる。判定基準に照らし合わせられる際に、負荷の種類や環境に応じて、短い時間枠の消費電力に基づき導き出される指標の影響度と、それよりも長い時間枠の消費電力に基づき導き出される指標の影響度とは変動する。したがって、足し合わせにあたって重みが設定されることで指標の影響度は調整されることができる。デマンド電力は良好に目標値以下に調整されることができる。
【００６６】
重み付けにあたって、第２予測値から変換された指標には、第１予測値から変換された指標よりも大きい重みが設定される。本発明者の経験則によれば、良好なデマンド電力の調整にあたって、短い時間枠の消費電力に基づき導き出される指標に比べて、長い時間枠の消費電力に基づき導き出される指標の影響度は大きい。したがって、長い時間枠の消費電力に基づき導き出される指標に、短い時間枠の消費電力に基づき導き出される指標よりも大きい重みが設定されると、デマンド電力は良好に目標値以下に調整されることができる。
【００６７】
第１判定手段４２ａではランク分けにあたって指標「３」「２」「１」「０」に対して「１１５％」「１０５％」および「９５％」の閾値が設定される。一方で、第２判定手段４２ｃではランク分けにあたって指標「３」「２」「１」「０」に対して「１０４％」「１０１％」および「９４％」の閾値が設定される。こうして第１予測値に比べて第２予測値では判定基準の閾値は低く設定される。長い時間枠の消費電力に基づく第２予測値は、短い時間枠の消費電力に基づく第１予測値に比べて緩やかに変動する。したがって、閾値が低く設定されると、緩やかな変動に対して早め早めに消費電力を低減する制御の必要性は判定基準に織り込まれることができる。こうしてデマンド制御システム１１は的確に消費電力の増加の端緒に対応することができる。
【００６８】
図５に示されるように、メイン制御モジュール２２ではコンピューター装置３２の筐体６１内にＰＬＣ（コントローラー）２９は収容される。コンピューター装置３２は、筐体６１に収容されて、コンピューター装置３２の動作を司るマザーボード６２と、筐体６１内に収容されて電流路６３でマザーボード６２に接続され、マザーボード６２に電力を供給する電源ユニット６４と、筐体６１の外面に現れるスイッチボタン６５を有し、マザーボード６２のスイッチピン６６に接続される電源スイッチ６７とを備える。マザーボード６２にはＣＰＵ（中央演算処理装置）６８やメモリー、スイッチピン６６が実装される。マザーボード６２には、例えばアプリケーションプログラムを格納するハードディスク駆動装置（ＨＤＤ）といった大容量記憶装置（図示されず）が接続されることができる。ＣＰＵ６８はアプリケーションプログラムの実行にあたって一時的にメモリーにプログラムやデータを格納する。マザーボード６２は、電力供給源６９から電流路６３に流通する電流に基づき動作する。
【００６９】
電源オフ時にマザーボード６２のスイッチピン６６が短絡するとコンピューター装置３２はブーストされる。ブーストに応じて電源ユニット６４から電流路６３経由でマザーボード６２に電力は供給される。ＯＳ（オペレーションシステム）は立ち上げられる。電源オン時にマザーボード６２のスイッチピン６６が短絡するとコンピューター装置３２はシャットダウンされる。通常の手順に従ってＯＳは終了する。電源ユニット６４からマザーボード６２に電力の供給は停止される。電源オン時にスイッチピン６６の短絡が決められた時間にわたって継続されると、コンピューター装置３２は強制的にシャットダウンされる。電源ユニット６４からマザーボード６２に電力の供給は停止される。
【００７０】
電源ユニット６４は、筐体６１の外面に現れるソケット７１に接続される。ソケット７１には電源コード７２の電源コネクター７３が結合される。電源コード７２の電源プラグ７４はコンセントに差し込まれる。こうして電源ユニット６４は電力供給源６９に接続される。
【００７１】
電源スイッチ６７はスイッチボタン６５の押し操作に応じてスイッチピン６６を短絡する。電源オフ時の短い押し操作はスイッチオン操作に相当する。電源オン時の短い押し操作はシャットダウン操作に相当する。電源オン時の押し操作の継続は強制終了の操作に相当する。
【００７２】
スイッチピン６６にはＰＬＣ２９が接続される。ＰＬＣ２９は、決められた条件に応じてスイッチピン６６を短絡する。ＰＬＣ２９には、動作プログラムの実行に基づき、ウエイクアップ手段７６、シャットダウン手段７７およびリカバリー手段７８が確立される。ウエイクアップ手段７６は、予め決められた時刻にスイッチピン６６を短絡することでコンピューター装置３２を起動する。起動の時刻はタッチスクリーンパネル３１の入力動作に基づき設定されることができる。起動の実行にあたって時刻はＰＬＣ２９に内蔵の時計７９から取得されることができる。シャットダウン手段７７は、予め決められた時刻にスイッチピン６６を短絡することでコンピューター装置３２をシャットダウンする。シャットダウンの時刻はタッチスクリーンパネル３１の入力動作に基づき設定されることができる。シャットダウンの実行にあたって時刻はＰＬＣ２９に内蔵の時計７９から取得されることができる。リカバリー手段７８は、決められた時刻の起動およびシャットダウンの間（電源オンの時間帯）にも拘わらずマザーボード６２に対して電流の供給が停止すると、スイッチピン６６を短絡することでコンピューター装置３２を起動する。
【００７３】
コンピューター装置３２の筐体６１には、電流路６３を流通する電流を検出する検出センサー８１が収容される。検出センサー８１はＰＬＣ２９に接続される。検出センサー８１は、電流路６３で検出される電流値を特定する電流値信号をＰＬＣ２９に供給する。リカバリー手段７８は、検出される電流値に基づき電流の供給または供給の停止を判定する。供給の停止には微弱な待機電流が含まれることができる。微弱な待機電流はＰＬＣ２９に設定される閾値で判定されることができる。シャットダウン手段７７は、シャットダウンにあたってスイッチピン６６を短絡した後に電流の供給を検出すると、予め決められた時間の経過後に再びスイッチピン６６を短絡する。予め決められた時間は例えばＯＳやその他のアプリケーションプログラムのアップデートに十分な時間に設定されることができる。シャットダウン手段７７は、再びスイッチピン６６を短絡した後に電流の供給を検出すると、決められた時間にわたってスイッチピン６６の短絡を継続し、強制的にコンピューター装置３２をシャットダウンする。
【００７４】
ＰＬＣ２９は、ソケット７１と電源ユニット６４との間で電流線に接続される。ＰＬＣ２９は、電源ユニット６４を経由せずに、物理的に直接に電力供給源６９に結合される。すなわち、電源コード７２の電源プラグ７４がコンセントに差し込まれると、ＰＬＣ２９には電力供給源（電力線）から動作電力は供給される。こうしてＰＬＣ２９は電源ユニット６４のオンオフに関係なく供給される動作電力に基づき動作する。
【００７５】
次にコンピューター装置３２のオンオフ動作を説明する。コンピューター装置３２の設置にあたって電源ユニット６４に電源コード７２は接続される。ソケット７１に電源コード７２の電源コネクター７３は差し込まれる。続いて電源コード７２は電力供給源（電力線）６９に接続される。電源コード７２の電源プラグ７４はコンセントに差し込まれる。コンセントに電力が届いていれば、電源ユニット６４およびＰＬＣ２９に電力は供給される。
【００７６】
ユーザーがスイッチボタン６５を短く押すと、電源スイッチ６７はマザーボード６２のスイッチピン６６を短絡する。ユーザーのスイッチオン操作は実施される。マザーボード６２はスイッチオン操作に応じて電源をオンする。電源がオンされると、マザーボード６２は供給される電流に基づき動作する。こうしてコンピューター装置３２はブーストされる。ＯＳは立ち上げられる。
【００７７】
電源オン時にはＯＳ上でリモートデスクトップアプリケーションは実行されることができる。コンピューター装置３２はリモートコンピューター装置３３から遠隔で操作されることができる。リモートコンピューター装置３３の画面にはタッチスクリーンパネル３１の画面が再現されることができる。リモートコンピューター装置３３の画面にはデマンド電力の目標値や２４時間の消費電力の変化、２４時間の温度変化、２４時間の湿度変化その他が表示されることができる。こうして管理者はリモートコンピューター装置３３からデマンド制御システム１１の動作を監視することができる。管理者はリモートコンピューター装置３３からデマンド電力の目標値を変更することができる。管理者は、リモートコンピューター装置３３から遠隔操作することで、コンピューター装置３２上でＰＬＣ２９の動作プログラムやタッチスクリーンパネル３１の動作プログラムを編集することができる。動作プログラムはコンピューター装置３２上に維持されることから、動作プログラムの上書き処理は良好に実現されることができる。
【００７８】
電源オン時にユーザーがスイッチボタン６５を短く押すと、電源スイッチ６７はマザーボード６２のスイッチピン６６を短絡する。ユーザーのシャットダウン操作は実施される。コンピューター装置３２はシャットダウンされる。通常の手順に従ってＯＳは終了する。電源ユニット６４からマザーボード６２に電力の供給は停止される。同様に、ユーザーがＯＳ上でシャットダウンを指示すると、マザーボード６２は電源をオフする。
【００７９】
例えば、コンピューター装置３２がフリーズした際など、電源オン時にユーザーがスイッチボタン６５を長押しすると、電源スイッチ６７はスイッチピン６６の短絡を継続する。ユーザーの強制終了の操作は実施される。コンピューター装置３２は強制的にシャットダウンされる。電源ユニット６４からマザーボード６２に電力の供給は停止される。
【００８０】
コンピューター装置３２のオンオフ制御にあたってＰＬＣ２９では起動の時刻、シャットダウンの時刻および電流値の閾値が設定される。時刻や閾値の設定にあたってタッチスクリーンパネル３１の画面には起動の時刻［ｈｈｍｍｓｓ］、シャットダウンの時刻［ｈｈｍｍｓｓ］および電流値の数値［ｍＡ］が表示される。数値にタッチすると、画面には例えば時刻の選択を支援するキーボードやテンキーが表示される。キーボードやテンキーの操作に応じて時刻や電流値の数値は入力されることができる。こうして時刻や電流値の数値は書き換えられることができる。記録された時刻に基づきウエイクアップ手段７６は起動の時刻を特定する。シャットダウン手段７７はシャットダウンの時刻を特定する。シャットダウン手段７７やリカバリー手段７８は供給停止の判定に用いられる電流値の閾値を特定する。
【００８１】
決められた時刻が到来すると、ウエイクアップ手段７６はスイッチピン６６を短絡する。スイッチピン６６が短絡するとコンピューター装置３２はブーストされる。ブーストに応じて電源ユニット６４から電流路６３経由でマザーボード６２に電力は供給される。ＯＳは立ち上げられる。こうしてコンピューター装置３２は予め決められた時刻に自動で起動することができる。
【００８２】
このとき、スイッチピン６６の短絡時に既にコンピューター装置３２の電源がオンされていたら、スイッチピン６６が短絡するとコンピューター装置３２はシャットダウンされる。その結果、電源ユニット６４からマザーボード６２に電力の供給は停止される。ＰＬＣ２９は検出センサー８１の電流値信号に基づき供給の停止を検出する。電源オンの時間帯にも拘わらずマザーボード６２に対して電流の供給が停止したことから、リカバリー手段７８はスイッチピン６６を短絡することでコンピューター装置３２を起動する。こうしてコンピューター装置３２は予め決められた時刻に自動で起動することができる。
【００８３】
次に決められた時刻が到来すると、シャットダウン手段７７はスイッチピン６６を短絡する。スイッチピン６６が短絡するとコンピューター装置３２はシャットダウンされる。通常の手順に従ってＯＳは終了する。電源ユニット６４からマザーボード６２に電力の供給は停止される。こうしてコンピューター装置３２は予め決められた時刻に自動でシャットダウンすることができる。コンピューター装置３２の消し忘れは回避されることができる。検出センサー８１では閾値以下の電流値が検出されるものの、電源オフの時間帯であることからＰＬＣ２９は電源オフを維持する。電源オフの時間帯であってもスイッチボタン６５の押し操作に応じてコンピューター装置３２の起動およびシャットダウンは実現されることができる。シャットダウンの時刻にコンピューター装置３２が利用中であっても、通常のシャットダウンであればＯＳの終了に先立って画面に警告が表示されることから、コンピューター装置３２の利用は継続されることができる。
【００８４】
停電では電力供給源６９から電流の供給は停止する。マザーボード６２はシャットダウンする。動作電力も途絶えることからＰＬＣ２９はオフされる。その後、停電が復旧すると、ＰＬＣ２９は動作を開始する一方で、ユーザーのスイッチオン操作がなければマザーボード６２は動作しない。このとき、ＰＬＣ２９は検出センサー８１の電流値信号に基づき供給の停止を検出する。電源オンの時間帯にも拘わらずマザーボード６２に対して電流の供給が停止したことから、リカバリー手段７８はスイッチピン６６を短絡することでコンピューター装置３２を起動する。こうして停電からの復旧時にはマザーボード６２はユーザーのスイッチオン操作を待たずに自動で動作を開始することができる。
【００８５】
仮に、電源オンの時間帯に、意に反してコンピューター装置３２がシャットダウンされても、ＰＬＣ２９は検出センサー８１の電流値信号に基づき供給の停止を検出する。リカバリー手段７８はスイッチピン６６を短絡することでコンピューター装置３２を起動する。こうしてコンピューター装置３２の動作は維持されることができる。
【００８６】
図６はコンピューター装置３２のオンオフを制御する電源制御装置８３の構成を示す。電源制御装置８３は、一端で電力供給源６９に接続され、他端でコンピューター装置３２の電源プラグ７４に接続される電流路を形成する配線８４と、分岐点８５で電流路から分岐する分岐路８６に接続されて、電力供給源６９に物理的に結合されることで電力供給源６９から供給される動作電力に基づき動作するコントローラー８７と、分岐点８５よりも下流で、電力供給源６９から電流路に流通する電流を検出する検出センサー８８と、コンピューター装置３２のマザーボード６２に接続されて、検出センサー８８で電流の供給の停止が検出されるとコントローラー８７から出力されてマザーボード６２のスイッチピン６６を短絡する電気信号を伝達するリレー線８９とを備える。配線８４は一端に例えばコンセントに差し込まれる電源プラグ９１を有する。配線８４の他端には電源コード７２の電源プラグ７４を受け止める差込口が接続される。コンピューター装置３２の電源ユニット６４は電源コード７２および配線８４経由で電力供給源６９に接続される。
【００８７】
コントローラー８７はＰＬＣとして構成される。コントローラー８７はスイッチピン６６に接続される。コントローラー８７はスイッチピンのリレースイッチとして機能する。コントローラー８７は、決められた条件に応じてスイッチピン６６を短絡する。コントローラー８７には、動作プログラムの実行に基づき、ウエイクアップ手段９２、シャットダウン手段９３およびリカバリー手段９４が確立される。ウエイクアップ手段９２は、予め決められた時刻にスイッチピン６６を短絡することでコンピューター装置３２を起動する。起動の実行にあたって時刻はＰＬＣに内蔵の時計から取得されることができる。シャットダウン手段９３は、予め決められた時刻にスイッチピン６６を短絡することでコンピューター装置３２をシャットダウンする。シャットダウンの実行にあたって時刻はＰＬＣに内蔵の時計から取得されることができる。リカバリー手段９４は、決められた時刻の起動およびシャットダウンの間（電源オンの時間帯）にも拘わらずマザーボード６２に対して電流の供給が停止すると、スイッチピン６６を短絡することでコンピューター装置３２を起動する。
【００８８】
検出センサー８８はコントローラー８７に接続される。検出センサー８８は、配線８４で検出される電流値を特定する電流値信号をコントローラー８７に供給する。リカバリー手段９４は、検出される電流値に基づき電流の供給または供給の停止を判定する。供給の停止には微弱な待機電流が含まれることができる。微弱な待機電流はコントローラー８７に設定される閾値で判定されることができる。シャットダウン手段９３は、シャットダウンにあたってスイッチピン６６を短絡した後に電流の供給を検出すると、予め決められた時間の経過後に再びスイッチピン６６を短絡する。予め決められた時間は例えばＯＳやその他のアプリケーションプログラムのアップデートに十分な時間に設定されることができる。シャットダウン手段９３は、再びスイッチピン６６を短絡した後に電流の供給を検出すると、決められた時間にわたってスイッチピン６６の短絡を継続し、強制的にコンピューター装置３２をシャットダウンする。
【００８９】
コントローラー８７は、分岐路８６に接続されることで、電源ユニット６４とは関係なく、物理的に直接に電力供給源６９に結合される。すなわち、電源プラグ９１がコンセントに差し込まれると、コントローラー８７には電力供給源（電力線）から動作電力は供給される。こうしてコントローラー８７は電源ユニット６４のオンオフに関係なく供給される動作電力に基づき動作する。
【００９０】
電源制御装置８３は、コントローラー８７に接続されるタッチスクリーンパネル９５をさらに備える。タッチスクリーンパネル９５は、内蔵の記憶装置に保存される動作プログラムに基づき表示動作や入力動作を管理する。タッチスクリーンパネル９５の画面には、例えば、起動の時刻［ｈｈｍｍｓｓ］、シャットダウンの時刻［ｈｈｍｍｓｓ］および電流値の数値［ｍＡ］その他が表示されることができる。数値にタッチすると、画面には例えば時刻の選択を支援するキーボードやテンキーが表示される。キーボードやテンキーの操作に応じて時刻や電流値の数値は入力されることができる。こうして時刻や電流値の数値は書き換えられることができる。記録された時刻に基づきウエイクアップ手段９２は起動の時刻を特定する。シャットダウン手段９３はシャットダウンの時刻を特定する。シャットダウン手段９３やリカバリー手段９４は供給停止の判定に用いられる電流値の閾値を特定する。
【００９１】
次にコンピューター装置３２のオンオフ動作を説明する。コンピューター装置３２の設置にあたって電源ユニット６４に電源コード７２は接続される。ソケット７１に電源コード７２の電源コネクター７３は差し込まれる。続いて電源コード７２は電源制御装置８３に接続される。電源コード７２の電源プラグ７４は配線８４他端の差込口に差し込まれる。電源制御装置８３の電源プラグ９１はコンセントに差し込まれる。コンセントに電力が届いていれば、コンピューター装置３２の電源ユニット６４および電源制御装置８３のコントローラー８７に電力は供給される。コンピューター装置３２では、前述と同様に、電源スイッチ６７の動作に応じて電源はオンオフされることができる。
【００９２】
決められた時刻が到来すると、ウエイクアップ手段９２はスイッチピン６６を短絡する。スイッチピン６６が短絡するとコンピューター装置３２はブーストされる。ブーストに応じて電源ユニット６４から電流路６３経由でマザーボード６２に電力は供給される。ＯＳは立ち上げられる。こうしてコンピューター装置３２は予め決められた時刻に自動で起動することができる。
【００９３】
このとき、スイッチピン６６の短絡時に既にコンピューター装置３２の電源がオンされていたら、スイッチピン６６が短絡するとコンピューター装置３２はシャットダウンされる。その結果、電源ユニット６４からマザーボード６２に電力の供給は停止される。コントローラー８７は検出センサー８８の電流値信号に基づき供給の停止を検出する。電源オンの時間帯にも拘わらずマザーボード６２に対して電流の供給が停止したことから、リカバリー手段９４はスイッチピン６６を短絡することでコンピューター装置３２を起動する。こうしてコンピューター装置３２は予め決められた時刻に自動で起動することができる。
【００９４】
次に決められた時刻が到来すると、シャットダウン手段９３はスイッチピン６６を短絡する。スイッチピン６６が短絡するとコンピューター装置３２はシャットダウンされる。通常の手順に従ってＯＳは終了する。電源ユニット６４からマザーボード６２に電力の供給は停止される。こうしてコンピューター装置３２は予め決められた時刻に自動でシャットダウンすることができる。コンピューター装置３２の消し忘れは回避されることができる。検出センサー８８では閾値以下の電流値が検出されるものの、電源オフの時間帯であることからコントローラー８７は電源オフを維持する。電源オフの時間帯であってもスイッチボタン６５の押し操作に応じてコンピューター装置３２の起動およびシャットダウンは実現されることができる。シャットダウンの時刻にコンピューター装置３２が利用中であっても、通常のシャットダウンであればＯＳの終了に先立って画面に警告が表示されることから、コンピューター装置３２の利用は継続されることができる。
【００９５】
停電では電力供給源６９から電流の供給は停止する。マザーボード６２はシャットダウンする。動作電力も途絶えることからコントローラー８７はオフされる。その後、停電が復旧すると、コントローラー８７は動作を開始する一方で、ユーザーのスイッチオン操作がなければマザーボード６２は動作しない。このとき、コントローラー８７は検出センサー８８の電流値信号に基づき供給の停止を検出する。電源オンの時間帯にも拘わらずマザーボード６２に対して電流の供給が停止したことから、リカバリー手段９４はスイッチピン６６を短絡することでコンピューター装置３２を起動する。こうして停電からの復旧時にはマザーボード６２はユーザーのスイッチオン操作を待たずに自動で動作を開始することができる。
【００９６】
仮に、電源オンの時間帯に、意に反してコンピューター装置３２がシャットダウンされても、コントローラー８７は検出センサー８８の電流値信号に基づき供給の停止を検出する。リカバリー手段９４はスイッチピン６６を短絡することでコンピューター装置３２を起動する。こうしてコンピューター装置３２の動作は維持されることができる。
【符号の説明】
【００９７】
２９…コントローラー（ＰＬＣ）、３２…コンピューター装置、６２…マザーボード、６３…電流路、６６…スイッチピン、６９…電力供給源、７４…電源プラグ、８１…検出センサー、８３…電源制御装置、８４…配線、８５…分岐点、８６…分岐路、８７…コントローラー、８８…検出センサー、８９…リレー線。
【要約】
【課題】何らかの原因で電源が落ちても自動で復旧することができるコンピューター装置を提供する。
【解決手段】コンピューター装置３２は、ユーザーのスイッチオン操作に応じてスイッチピン６６を短絡させ、電力供給源６９から電流路６３に流通する電流に基づき動作するマザーボード６２と、電流を検出する検出センサー８１と、電力供給源６９に物理的に結合されることで電力供給源６９から供給される動作電力に基づき動作し、検出センサー８１で電流の供給の停止が検出されると、スイッチピン６６を短絡させるコントローラー２９とを備える。
【選択図】図５【図１】
0006971451.tif 000002
【図２】
0006971451.tif 000003
【図３】
0006971451.tif 000004
【図４】
0006971451.tif 000005
【図５】
0006971451.tif 000006
【図６】
0006971451.tif 000007